(57)【要約】【課題】室内側からの眺望を確保すると共に太陽光パネルの設置スペースをより多く確保しつつ、優れた省エネ性と高効率の創エネを実現できる建物を提供する。【解決手段】内部が空洞に構成された状態かつ上面が屋外側下がりの傾斜形状に構成された状態で外側サッシ４から屋外側に向けて張り出され、外室３の日除けが可能な庇部１５と、庇部１５の上面に設けられた太陽光パネル１６と、が備えられ、庇部１５の上面または外側サッシ４に、屋外空間３３と庇部１５の内部空間２８のうちの太陽光パネル１６の裏側に位置するパネル裏空間２９とを連通する屋外開口１８が備えられ、室内空間１に、内部空間２８及び外室３の天井懐１４を介して室内空間１とパネル裏空間２９とを連通可能な室内開口２１が備えられている。【選択図】図２
2018076719.tif 000002
【特許請求の範囲】
【請求項１】
アウタースキンによって囲まれた室内空間が、建物中央側のインテリア室と建物外周側のペリメータ室とに、開閉可能なインナースキンによって人の往来が可能な状態で仕切られた建物であって、
内部が空洞に構成された状態かつ上面が屋外側下がりの傾斜形状に構成された状態で前記アウタースキンから屋外側に向けて張り出され、前記ペリメータ室の日除けが可能な庇部と、
前記庇部の上面に設けられた太陽光パネルと、が備えられ、
前記庇部の上面または前記アウタースキンに、屋外空間と前記庇部の内部空間のうちの前記太陽光パネルの裏側に位置するパネル裏空間とを連通する屋外開口が備えられ、
前記室内空間に、前記内部空間及び前記ペリメータ室の天井懐を介して前記室内空間と前記パネル裏空間とを連通可能な室内開口が備えられている建物。
【請求項２】
前記屋外開口は、前記庇部の上面における前記パネル裏空間よりも高い位置に設けられている請求項１に記載の建物。
【請求項３】
前記庇部の上面に設けられ、太陽光を取り込み可能な採光部と、
前記内部空間及び前記天井懐を介して前記採光部と前記インテリア室とに亘って設けられ、前記採光部から取り込まれた太陽光を前記インテリア室に導く光ダクトと、が備えられている請求項１または２に記載の建物。
【請求項４】
前記太陽光パネルと前記屋外開口と前記採光部とは、屋外側から前記太陽光パネル、前記屋外開口、前記採光部の順に並ぶ状態で、前記庇部の上面に設けられている請求項３に記載の建物。
【発明の詳細な説明】
【技術分野】
【０００１】
本発明は、建物に関する。
【背景技術】
【０００２】
例えば、特許文献１に従来の建物が記載されている。この建物は、アウタースキン（同文献の「アウタースキン」）によって囲まれた室内空間が、建物中央側のインテリア室（同文献の「居室」）と建物外周側のペリメータ室（同文献の「ダブルスキン空間」）とに、開閉可能なインナースキン（同文献の「インナースキン」）によって人の往来が可能な状態で仕切られているものである。
【０００３】
上記従来の建物では、最上階のペリメータ室の屋上部のトップスキンには、透光性を有する太陽光パネルを備えることが可能になっている。
【先行技術文献】
【特許文献】
【０００４】
【特許文献１】特開２００６−２９１６６２号公報
【発明の概要】
【発明が解決しようとする課題】
【０００５】
しかし、上記従来の建物では、ペリメータ室に差し込む太陽光をブラインドによって遮るため、併せて、室内から屋外への視界が遮られてしまい、室内からの眺望が損なわれてしまいがちであった。また、一方で、ペリメータ室のブラインドを開放した場合には、太陽光の差し込みによりペリメータ室に熱が籠り、省エネ性能が低下するものとなっていた。
【０００６】
また、上記従来の建物では、太陽光パネルを屋上部にしか備えることができないので、太陽光パネルによる発電量の制約が大きくなっていた。例えば、この制約を解消しようとして、外壁にも太陽光パネルを取り付けるようにしたとしても、開口面積が減って、室内から屋外への視界が遮られる不都合が新たに生じる。このため、太陽光を利用した創エネを効率良く行うことが難しかった。
【０００７】
上記実情に鑑み、室内側からの眺望を確保すると共に太陽光パネルの設置スペースをより多く確保しつつ、優れた省エネ性と高効率の創エネを実現できる建物の提供が望まれていた。
【課題を解決するための手段】
【０００８】
本発明の建物は、
アウタースキンによって囲まれた室内空間が、建物中央側のインテリア室と建物外周側のペリメータ室とに、開閉可能なインナースキンによって人の往来が可能な状態で仕切られた建物であって、
内部が空洞に構成された状態かつ上面が屋外側下がりの傾斜形状に構成された状態で前記アウタースキンから屋外側に向けて張り出され、前記ペリメータ室の日除けが可能な庇部と、
前記庇部の上面に設けられた太陽光パネルと、が備えられ、
前記庇部の上面または前記アウタースキンに、屋外空間と前記庇部の内部空間のうちの前記太陽光パネルの裏側に位置するパネル裏空間とを連通する屋外開口が備えられ、
前記室内空間に、前記内部空間及び前記ペリメータ室の天井懐を介して前記室内空間と前記パネル裏空間とを連通可能な室内開口が備えられているものである。
【０００９】
本発明によれば、庇部を設けることで、ペリメータ室とインテリア室の熱負荷を下げつつ、庇部の上面を利用して太陽光パネルの設置スペースを増大させて創エネを行うことができる。
このように、庇部の上面に太陽光パネルを設けるので、ペリメータ室の屋外への視界が太陽光パネルによって遮られることがなく、眺望を損なわない態様で太陽光パネルを設置できる。
そして、この太陽光パネルが帯びる熱（輻射熱や発電に伴う熱）は、庇部の内部空間のうち太陽光パネルの真裏に位置するパネル裏空間に逃がすようにしている。
この太陽光パネルの熱が逃がされたパネル裏空間ではその熱により空気の上昇流が生じ、この上昇流により室内空間に連通する室内開口からパネル裏空間を含む内部空間を通じて屋外開口へと向かう空気の流れを生じさせることが可能となっている。これにより、太陽光を利用した室内空間（例えば、夏期等におけるペリメータ室）の自然換気を行うことができる。その結果、室内空間の冷房等の空調費が削減され、省エネ性を高めることができる。
また、パネル裏空間に逃がした太陽光パネルの熱は、パネル裏空間を含む内部空間と室内開口とを通じて室内空間に供給することで、室内空間の暖房（例えば、冬期等におけるインテリア室の暖房）を行うことが可能になっている。これにより、太陽光を利用した室内空間の暖房を行うことができる。その結果、室内空間の暖房等の空調費が削減され、省エネ性を高めることができる。
さらに、太陽光パネルは、建物の屋上部に限らず、各階の庇部に備えることが可能であるので、太陽光パネルによる発電量を十分に確保できるものとなる。また、太陽光パネルの熱を上記のようにパネル裏空間を通じて他の箇所へ積極的に逃がす構造となっているので、太陽光パネルの冷却が効率良く行われ、太陽光パネルの発電効率を良好に維持できる。これにより、太陽光を利用した高効率な創エネを実現できる。
したがって、本発明であれば、室内側からの眺望を確保すると共に太陽光パネルの設置スペースをより多く確保しつつ、優れた省エネ性と高効率の創エネを実現できるものとなる。
【００１０】
本発明において、
前記屋外開口は、前記庇部の上面における前記パネル裏空間よりも高い位置に設けられていると好適である。
【００１１】
本構成によれば、パネル裏空間から屋外開口に向けて空気がスムーズに上昇するものとなる。これにより、パネル裏空間を含む内部空間に連通する室内開口を通じて室内空間から空気の引き込みをしっかりと行うことが可能となり、室内空間の換気を効率良く行うことができる。
さらに、例えば、屋外開口を庇部以外の箇所に設ける場合には、専用のダクト等を設ける必要があるが、屋外開口を庇部の上面に設けることにより、そのようなダクト等が不要となり、簡素な構造にできる。
【００１２】
本発明において、
前記庇部の上面に設けられ、太陽光を取り込み可能な採光部と、
前記内部空間及び前記天井懐を介して前記採光部と前記インテリア室とに亘って設けられ、前記採光部から取り込まれた太陽光を前記インテリア室に導く光ダクトと、が備えられていると好適である。
【００１３】
本構成によれば、庇部の上面に設けた採光部から太陽光を取り込んで、その取り込んだ太陽光を光ダクトでインテリア室に導くようにしている。これにより、インテリア室における太陽光による照明を行うことが可能となり、インテリア室の省エネ性を高めることができる。
【００１４】
本発明において、
前記太陽光パネルと前記屋外開口と前記採光部とは、屋外側から前記太陽光パネル、前記屋外開口、前記採光部の順に並ぶ状態で、前記庇部の上面に設けられていると好適である。
【００１５】
本構成によれば、太陽光パネルがアウタースキンから離れて屋外側に張り出した箇所に位置するものとなるので、太陽光パネルに太陽光があたりやすくなり、太陽光パネルによる発電量を確保しやすくすることができる。
さらに、採光部がインテリア室側に近づくことにより、光ダクトのダクト長が短くなり、光ダクト内における太陽光の光量損失を抑えることができる。
【図面の簡単な説明】
【００１６】
【図１】建物の一部を示す正面図である。
【図２】建物の一部を示す側面視の部分断面図である。
【図３】建物の一部を示す平面視の部分断面図である。
【図４】夏期における利用態様の一例を示す側面視の部分断面図である。
【図５】中間期における利用態様の一例を示す側面視の部分断面図である。
【図６】冬期における利用態様の一例を示す側面視の部分断面図である。
【図７】別実施形態を示す側面視の部分断面図である。
【発明を実施するための形態】
【００１７】
以下、本発明の一例である実施形態を図面に基づいて説明する。
図１〜図３等には、「建物」の一例である複数階建てのオフィスビルを示している。この建物には、各階に、室内空間１が設けられている。
【００１８】
図１、図２等に示すように、室内空間１には、建物中央側の居室である内室２（「インテリア室」に相当）と、建物外周側の廊下としての外室３（「ペリメータ室」に相当）と、が含まれている。室内空間１は、外側サッシ４（「アウタースキン」の一例）によって囲まれている。内室２と外室３とは、開閉可能な内側サッシ５（「インナースキン」の一例）によって人の往来が可能な状態で仕切られている。内室２は、執務室等の居室として利用可能な空間となっている。外室３は、内室２の屋外側に隣接する縁側スペース（例えば、共用廊下等）として利用可能な空間となっている。
【００１９】
〔外側サッシと内側サッシについて〕
図１〜図３等に示すように、外側サッシ４は、開閉自在な引き違い窓となっている。また、外側サッシ４は、掃き出し窓となっている。外側サッシ４の屋外側には、面格子６が付設されている。内側サッシ５は、開閉自在な引き違い窓となっている。また、内側サッシ５は、掃き出し窓となっている。
【００２０】
〔内室について〕
図２等に示すように、内室２には、内室床スラブ７、内室床スラブ７上に敷設される内室床部８、内室天井９が備えられている。
【００２１】
〔外室について〕
図２等に示すように、外室３は、外側サッシ４と内側サッシ５とによって挟まれ、屋外空間３３と内室２との間の熱的な緩衝空間となっている。外室３は、建物の南側に面するように位置している。
【００２２】
外室３には、外室床スラブ１０、外室床スラブ１０上に敷設される外室床部１１、外室天井１２が備えられている。外室床スラブ１０には、内室床スラブ７よりも下方に凹んだ空間であるピット１３が設けられている。外室床部１１は、内室床部８と略同じ高さに揃えられている。ピット１３は、外室３で利用される機器（例えば、水道機器、ガス機器、電気機器等）の配管を通す空間や、植栽を設置する空間として利用可能となっている。
【００２３】
図１〜図３等に示すように、建物の各階には、庇部１５、太陽光パネル１６、チャンバー１７、屋外開口１８、採光部１９、光ダクト２０、室内開口２１、熱回収機構（図示せず）等が備えられている。
【００２４】
図１〜図３等に示すように、建物内に配置される柱部２２は、２つの庇部１５毎に配置されている。柱部２２どうしの間隔である柱スパンを短く抑えることで、柱部２２どうしを連結している横方向に延びる梁部２３の梁成を小さくしている。これにより、外室３の天井高が、梁部２３の梁成を削減した分だけ高くなり、外室３内の快適性が高くなっている。
【００２５】
〔庇部について〕
図２等に示すように、庇部１５は、外室３の屋外側に備えられている。庇部１５は、内部が空洞に構成された状態かつ上面が屋外側下がりの傾斜形状に構成された状態で外側サッシ４から屋外側に向けて張り出されている。庇部１５により、外室３の日除けが可能となっている。
【００２６】
図２等に示すように、庇部１５は、外室３側から屋外側に向けて張り出される複数の第１下地鉄骨２５と、第１下地鉄骨２５と交差する方向に延びる複数の第２下地鉄骨２６と、庇部１５の傾斜面を構成する支持フレーム２７等により支持されている。庇部１５の軒天２４は、第１下地鉄骨２５及び第２下地鉄骨２６の下面側に、例えば野縁等を介して取り付けられている。軒天２４は、屋外側に向けて下り勾配となっており、かつ、外室３の外室天井１２の勾配は、軒天２４の勾配と同じに設定され、軒天２４の延長線上に位置している。
【００２７】
〔太陽光パネルについて〕
図１〜図３等に示すように、太陽光パネル１６は、庇部１５の上面に設けられている。太陽光パネル１６は、上面材として庇部１５の一部を構成している。太陽光パネル１６は、防水処理がなされて、支持フレーム２７に取り付けられている。支持フレーム２７は、例えば、太陽光パネル１６の平面形状を考慮して、取り付し易いように矩形枠状に構成されている。
【００２８】
〔庇部の上面の傾斜角度について〕
図２等に示す庇部１５の上面の傾斜角度は、上階の庇部１５による影を考慮して、太陽光パネル１６の年間総発電量が最大となるように設定されている。全ての階において、庇部１５の上面の傾斜角度は、同一の角度となるように設定されている。これにより、各階間で庇部１５の組み付け態様が同一となるため、施工の手間やコストを削減できる。
【００２９】
〔チャンバーについて〕
図２等に示すように、チャンバー１７は、庇部１５の内部空間２８における太陽光パネル１６の真裏にあたるパネル裏空間２９と、外室３の天井懐１４とに亘って備えられている。チャンバー１７の内部は、空気が流通可能となっている。なお、『天井懐』とは、外室３の天井仕上げと上階の外室床スラブ１０の底部との間の空間のことである。また、チャンバー１７は、筒状のダクト部材で構成したものであってもよいし、天井懐１４内の空間の一部をそのまま利用したものであってもよい。
【００３０】
太陽光パネル１６の裏面は、内部空間２８のうち太陽光パネル１６の真裏にあたるパネル裏空間２９に直接面している。これにより、太陽光パネル１６の熱が、庇部１５の内部空間２８におけるパネル裏空間２９に効率良く逃がされる。
【００３１】
図２等に示すように、チャンバー１７の内部には、端部が上方に向けて延びる水返し部材３０と、端部が下方に向けて延びる水切り部材３１と、が備えられている。水返し部材３０と水切り部材３１は、内部空間２８における空気の流れを案内する導風部材としても機能する。水切り部材３１の屋外側先端部には、排水路３２が備えられている。水返し部材３０と水切り部材３１とによって、迷路状の経路が形成されていることにより、仮に、内部空間２８に、屋外開口１８から雨水が入ったり、結露水が発生したりしたとしても、そのような水は、排水路３２を通じて外部に排出される。
【００３２】
〔屋外開口について〕
図２等に示すように、屋外開口１８は、庇部１５の上面に設けられている。屋外開口１８は、庇部１５の上面におけるパネル裏空間２９よりも高い位置に設けられている。言い換えれば、屋外開口１８は、太陽光パネル１６よりも高い位置に設けられている。屋外開口１８は、屋外空間３３と、庇部１５の内部空間２８のうちの太陽光パネル１６の裏側に位置するチャンバー１７内のパネル裏空間２９と、を連通している。
【００３３】
屋外開口１８には、開閉機構が備えられていない。しかし、図２等に示すように、屋外開口１８の屋外側には、屋外側に向けて外下がりとなった外側水切り部材３４が付設されている。外側水切り部材３４により、屋外開口１８からチャンバー１７内に雨水が侵入しにくいようになっている。
【００３４】
〔室内開口について〕
図２等に示すように、チャンバー１７内と連通する室内開口２１は、室内空間１における外室３の外室天井１２に設けられている。すなわち、室内開口２１は、内部空間２８及び外室３の天井懐１４を介して、室内空間１とパネル裏空間２９とを連通可能となっている。
【００３５】
図２等に示すように、室内開口２１には、開閉機構３５が備えられている。開閉機構３５は、例えば、スライド式のシャッター機構で構成されている。開閉機構３５は、開状態と、閉状態と、の間で状態切り換え可能に構成されている。
【００３６】
開閉機構３５を開状態にすると、外室３と内部空間２８との間で空気が流通可能となる。開閉機構３５を閉状態にすると、外室３と内部空間２８との間で空気が流通不能となる。なお、開閉機構３５は、全開状態と全閉状態との中間の所望開度に開度調節可能となってもよい。
【００３７】
〔光ダクトについて〕
図１〜図３等に示すように、採光部１９は、庇部１５に備えられ、太陽光を取り込みが可能となっている。採光部１９は、庇部１５の上面に設けられている。光ダクト２０は、内部空間２８及び天井懐１４を介して採光部１９と内室２とに亘って設けられている。説明を加えると、光ダクト２０は、内部空間２８及び外室３の天井懐１４に備えられ、採光部１９から取り込まれた太陽光を内室２に導くことが可能となっている。
【００３８】
図２等に示すように、光ダクト２０には、筒状のダクト本体３６、透光性を有する外カバー３７、透光性を有する内カバー３８等が備えられている。
【００３９】
図２等に示すように、ダクト本体３６は、筒状に構成されている。ダクト本体３６の内面は、反射率の高い鏡面仕上げとなっている。ただし、ダクト本体３６の内面は、鏡面仕上げとする代わりに、白色塗装を施す等して光の反射率を高めるようにしてもよい。外カバー３７は、透光性を有する板部材で構成されている。内カバー３８は、透光性を有する板部材で構成されている。外カバー３７と内カバー３８とにより、ダクト本体３６の内部を閉じた空間としていることにより、ダクト本体３６の内部に、塵埃や雨水が侵入することが阻止される。
【００４０】
図２等に示すように、内室２には、小庇部３９、反射部４０等が備えられている。小庇部３９は、内側サッシ５よりも内室２側に突出している。小庇部３９の上面や反射部４０の下面は、例えば、白色塗装を施す等して光の反射率を高めてある。
【００４１】
図４〜図６示すように、採光部１９から取り込まれた太陽光は、外カバー３７を通過し、ダクト本体３６の内部で反射を繰り返し、さらに、その反射光が、内カバー３８から出て、小庇部３９の上面、反射部４０の下面で反射して、最終的に、内室２の内部へ導かれるようになっている。
【００４２】
図２に示すように、太陽光パネル１６と屋外開口１８と採光部１９とは、屋外側から太陽光パネル１６、屋外開口１８、採光部１９の順に並ぶ状態で、庇部１５の上面に設けられている。
【００４３】
〔熱回収経路について〕
図６に示すように、パネル裏空間２９に関して熱回収機構（図示せず）による熱回収経路Ｐが備えられている。熱回収機構には、庇部１５の内部空間２８のうちのパネル裏空間２９と、他の階の室内空間１の内室２における他の室内開口とを接続するダクト、ダクト内の空気を送るためのファン等が備えられている。これにより、パネル裏空間２９に逃がされた太陽光パネル１６の熱を、室内空間１に送ることが可能となっている。
【００４４】
〔夏期の利用態様について〕
図４に、夏期の利用態様の一例を示している。
夏期は、太陽の南中高度が高く、日射角度が垂直に近い角度となる。
【００４５】
夏期においては、例えば、外側サッシ４を開放し、内側サッシ５を閉鎖する。これにより、室内空間１は、半屋外空間となる。夏期においては、内室２の空調機器（図示せず）を作動させて冷房等を行う場合が多い。内側サッシ５を閉鎖しているので、内室２は、屋外の気温や湿度、日射による影響が抑えられた状態となる。また、採光部１９から太陽光を取り込み、光ダクト２０等を通じて内室２へ導くことができる。
【００４６】
そして、室内開口２１の開閉機構３５は、開状態にする。太陽光パネル１６の熱により温められるパネル裏空間２９の空気と外室３の空気との温度差により、パネル裏空間２９における空気の上昇流の発生が促進され、これにより、外室３の換気を効率良く行える。また、これにより、太陽光パネル１６の熱を効率良く逃がすことが可能となり、太陽光パネル１６の発電効率の低下を抑制できる。
【００４７】
〔中間期の利用態様について〕
図５に、中間期の利用態様の一例を示している。
中間期は、夏期と冬期の間であり、例えば、春期、秋期等である。中間期は、夏期に比べて、太陽の南中高度が低くなり、日射角度が小さくなる。
【００４８】
中間期においては、例えば、外側サッシ４を開放し、内側サッシ５を開放する。これにより、屋外空間３３の空気を、開放された外側サッシ４、開放された内側サッシ５を通じて、内室２に直接取り込むことができる。また、採光部１９から太陽光を取り込み、光ダクト２０等を通じて内室２へ導くことができる。
【００４９】
そして、室内開口２１の開閉機構３５は、開状態にする。太陽光パネル１６の熱により温められるパネル裏空間２９の空気と外室３の空気との温度差により、パネル裏空間２９における空気の上昇流の発生が促進される。これにより、外室３の換気を効率良く行える。また、これにより、太陽光パネル１６の熱を効率良く逃がすことが可能となり、太陽光パネル１６の発電効率の低下を抑制できる。
【００５０】
〔冬期の利用態様について〕
図６に、冬期の利用態様の一例を示している。
冬期は、中間期に比べて、太陽の南中高度が低くなり、日射角度が小さくなる。
【００５１】
冬期においては、例えば、外側サッシ４を閉鎖し、内側サッシ５を閉鎖する。これにより、外室３が、外側サッシ４と内側サッシ５に挟まれたダブルスキン空間となる。冬期においては、庇部１５で遮蔽されない太陽光が、外室３にも入る。このため、外室３が温室のように温められることになる。また、採光部１９から太陽光を取り込み、光ダクト２０等を通じて内室２へ導くことができる。
【００５２】
そして、室内開口２１の開閉機構３５は、閉状態にする。太陽光パネル１６からパネル裏空間２９へ逃がされた熱は、熱回収機構（図示せず）によりチャンバー１７内のパネル裏空間２９から熱回収経路Ｐを通じて他の階の室内空間１の内室２へ送られる。これにより、太陽光パネル１６の熱を利用して、他の階の室内空間１の内室２の暖房を行うことができる。
【００５３】
〔別実施形態〕
以下、上記実施形態の一部を変更した別実施形態について説明する。各別実施形態は、矛盾が生じない限り、複数組み合わせることができる。なお、本発明の範囲は、各実施形態で示している内容に限られるものではない。
【００５４】
（１）上記実施形態では、庇部１５の上面に設けられ、太陽光を取り込み可能な採光部１９と、内部空間２８及び天井懐１４を介して採光部１９と内室２とに亘って設けられ、採光部１９から取り込まれた太陽光を内室２に導く光ダクト２０と、が備えられているものが例示されているが、これに限られない。例えば、採光部１９や光ダクト２０が設けられていなくてもよい。
【００５５】
また、例えば、採光部１９や光ダクト２０が他の場所に設けられていてもよい。一例を挙げると、図７に示すように、太陽光パネル１６と屋外開口１１８と採光部１１９とが、屋外側から採光部１１９、太陽光パネル１６、屋外開口１１８の順に並ぶ状態で、庇部１１５の上面に設けられていてもよい。この場合、庇部１１５の内部空間１２８のうち太陽光パネル１６の真裏に位置するパネル裏空間１２９は、光ダクト１２０の上側に位置する。また、この場合、外室３の天井懐１１４において、チャンバー１１７は、光ダクト１２０を内包するような形態となる。また、この場合、外室３の天井懐１１４において、光ダクト１２０は、直線状に配置しうる。これによれば、庇部１１５の最も屋外側に採光部１１９が位置することになるので、採光部１１９、光ダクト１２０等を通じて、内室２へ太陽光を効率良く取り込むことができる。なお、パネル裏空間１２９の近傍には、上述した実施形態と同様に、水返し部材１３０と水切り部材１３１とが備えられており、屋外開口１１８から侵入した水が、天井懐１１４側に侵入しないように措置されている。
【００５６】
（２）上記実施形態では、太陽光パネル１６の裏面がパネル裏空間２９に直接面しているものが例示されているが、これに限られない。例えば、太陽光パネル１６の裏面がパネル裏空間２９に直接面していないものであってもよい。この場合、例えば、庇部１５の支持フレーム２７に、金属板等の面材が組み付けられて庇部１５を構成し、仕上げた庇部１５の面材の上に、太陽光パネル１６が庇部１５とは別体として取り付けされるような形態となる。面材としては、太陽光パネル１６の裏面からパネル裏空間２９への熱伝動を過度に妨げないものを用いることが好ましい。
【００５７】
（３）上記実施形態では、屋外開口１８は、庇部１５の上面におけるパネル裏空間２９よりも高い位置に設けられているものが例示されているが、これに限られない。例えば、屋外開口１８が、パネル裏空間２９と同じ高さの位置に設けられていたり、屋外開口１８が、パネル裏空間２９よりも低い位置に設けられていたりしてもよい。この場合、パネル裏空間２９における空気の流動を促す機構を設置すると好適である。
【００５８】
（４）上記実施形態では、外側サッシ４と内側サッシ５とが、それぞれ、引き違い窓であり、かつ、掃き出し窓になっているものが例示されているが、これに限られない。例えば、外側サッシ４及び内側サッシ５のうち少なくともいずれか一方が、引き違い窓とは異なる窓であったり、掃き出し窓とは異なる窓であったりしてもよい。
【００５９】
（５）上記実施形態では、外側サッシ４が開放自在に構成されているものが例示されているが、これに限られない。例えば、外側サッシ４を閉め切りとして別途に給気口を設けてもよい。
【００６０】
（６）上記実施形態では、「アウタースキン」として外側サッシ４が例示され、「インナースキン」として内側サッシ５が例示されているが、これに限られない。「アウタースキン」及び「インナースキン」のうち少なくともいずれか一方が、サッシ形式とは異なるスキンで構成されていてもよい。
【００６１】
（７）上記実施形態では、スライド式のシャッター機構で開閉機構３５が構成されているものが例示されているが、これに限られない。開閉機構３５としては、例えば、回転式のバタフライバルブ等、種々の構造を採用しうる。
【００６２】
（８）上記実施形態では、庇部１５の上面に、屋外空間３３と庇部１５の内部空間２８のうちの太陽光パネル１６の裏側に位置するパネル裏空間２９とを連通している屋外開口１８が備えられているものが例示されているが、これに限られない。例えば、外側サッシ４の一部に腰壁を設け、その腰壁に屋外開口１８を備えるようにしてもよい。
【００６３】
（９）上記実施形態では、屋外開口１８に、開閉機構が備えられていないものが例示されているが、これに限られない。例えば、屋外開口１８に、開閉機構が備えられていてもよい。
【００６４】
（１０）上記実施形態では、パネル裏空間２９から他の階の室内空間１の内室２へ太陽光パネル１６の熱を逃がす熱回収経路Ｐが例示されているが、これに限られない。例えば、パネル裏空間２９から他の階の室内空間１の外室３へ太陽光パネル１６の熱を逃がす熱回収経路や、パネル裏空間２９から同一階の室内空間１の内室２へ太陽光パネル１６の熱を逃がす熱回収経路や、パネル裏空間２９から同一階の室内空間１の外室３へ太陽光パネル１６の熱を逃がす熱回収経路が備えられていてもよい。
【００６５】
（１１）上記実施形態では、庇部１５の上面の傾斜角度が、全ての階で同一の角度となるように設定されているものが例示されているが、これに限られない。階に応じて庇部１５の上面の傾斜角度を異ならせていてもよい。
【００６６】
（１２）上記実施形態では、複数の階に庇部１５が備えられているものが例示されているが、これに限られない。例えば、建物の１つの階のみに上記のような庇部１５が備えられていてもよい。
【産業上の利用可能性】
【００６７】
本発明は、上記オフィスビルの他、病院、官公庁舎等の種々の建物に利用できる。
【符号の説明】
【００６８】
１          ：室内空間
２          ：内室（インテリア室）
３          ：外室（ペリメータ室）
４          ：外側サッシ（アウタースキン）
５          ：内側サッシ（インナースキン）
１４、１１４：天井懐
１５、１１５：庇部
１６        ：太陽光パネル
１８、１１８：屋外開口
１９、１１９：採光部
２０、１２０：光ダクト
２１        ：室内開口
２８、１２８：内部空間
２９、１２９：パネル裏空間
３３        ：屋外空間
【図１】
2018076719.tif 000003
【図２】
2018076719.tif 000004
【図３】
2018076719.tif 000005
【図４】
2018076719.tif 000006
【図５】
2018076719.tif 000007
【図６】
2018076719.tif 000008
【図７】
2018076719.tif 000009